(57)【特許請求の範囲】
【請求項１】
筒状の周壁（１７）からほぼ垂直に内側に所定距離折り込まれた壁部（以下、折り込まれた第１壁部という）（１８）が段差部（以下、第１段差部という）（１８Ａ）を介して螺旋状に一周し、平面視円形のリング状をなしているブロー成形体（１２）において、前記折り込まれた第１壁部（１８）の内周側が円形に切除されて残部（１８ａ）が雌ネジ（１９）の山部を構成し、かつ前記第１段差部（１８Ａ）のうち前記雌ネジ（１９）の谷部に相当する箇所が切除されていることを特徴とする端部に雌ネジが形成されたブロー成形体（１２）。
【請求項２】
筒状の周壁（１３）からほぼ垂直に内側に所定距離折り込まれた壁部（以下、折り込まれた第２壁部という）（１４）の内周端に連なる筒状部に請求項１に記載されたブロー成形体の雌ネジ（１９）が螺合する雄ネジ（１５）が形成されたブロー成形体（１１）において、前記折り込まれた第２壁部（１４）が前記雌ネジ（１９）のリードと同じリードで段差部（以下、第２段差部という）（１４Ａ）を介して螺旋状に一周し、平面視円形のリング状をなし、かつ前記第２段差部（１４Ａ）が前記雄ネジ（１５）の終端部に形成されていることを特徴とする雄ネジが形成されたブロー成形体（１１）。
【発明の詳細な説明】
【０００１】
【発明の属する技術分野】
本発明は、端部に雌ネジが形成されたブロー成形体と、その雌ネジに螺合する雄ネジが形成されたブロー成形体に関する。
【０００２】
【従来の技術】
例えば口部に雄ネジを形成したブロー成形体容器の蓋を、同じくブロー成形により成形する場合、図７に示すように、ブロー成形金型１の内周に螺旋状の突起２を形成し、ブロー成形によりパリソンをこの突起に沿わせ、ブロー成形体（蓋）の内側に雌ネジ３を形成している。
【０００３】
【発明が解決しようとする課題】
ところが、ブロー成形体に形成した雌ネジには次のような問題がある。
▲１▼ブロー成形体は肉厚が変動しやすいうえ、ブロー成形金型１はブロー成形体の外表面しか規制できないため、雌ネジ３の山の幅ａ、谷の幅ｂ、山の高さｃなどがその肉厚に影響され（パリソンが二重に折り込まれてネジが形成されるため、肉厚の変動が２倍に効いてくる）、雌ネジ３の寸法精度が出にくい。
▲２▼雌ネジ３の寸法が安定しないと、これをブロー成形体容器に形成した雄ネジに螺合するときネジが固すぎて入らなかったり、逆にガタが大きく空回りするというトラブルが起きる。また、ネジの締り深さ（ネジを一杯に締めたときのネジの前進距離）が変化し、容器の高さが変化するという問題もある。
▲３▼雌ネジ３の外側に溝状のネジ形状が出て、ブロー成形体の外観が悪い。
【０００４】
本発明は、ブロー成形体に雌ネジを形成した場合の上記問題点に鑑みてなされたもので、寸法精度の高い雌ネジを形成することを主たる目的とする。そのほか、雌ネジの外側にネジ形状が出ないようにしてブロー成形体の外観をよくすること、また、雄ネジ側を改良してネジの締り深さを一定にすることを他の目的とする。
【０００５】
【課題を解決するための手段】
本発明の１つは、端部に雌ネジが形成されたブロー成形体に関し、筒状の周壁からほぼ垂直に内側に所定距離折り込まれた壁部（折り込まれた第１壁部）が段差部（第１段差部）を介して螺旋状に一周し、平面視円形のリング状をなしているブロー成形体において、前記折り込まれた第１壁部の内周側が円形に切除されて残部が雌ネジの山部を構成し、かつ前記第１段差部のうち前記雌ネジの谷部に相当する箇所が切除されていることを特徴とする。雌ネジが１条ネジの場合、段差部は１つであり、多条ネジの場合、条数に等しい数の段差部が形成される。
【０００６】
また、本発明の別の１つは、前記雌ネジに螺合する雄ネジが形成されたブロー成形体に関し、筒状の周壁からほぼ垂直に内側に所定距離折り込まれた壁部（折り込まれた第２壁部）の内周端に連なる筒状部に前記雄ネジが形成され、前記折り込まれた第２壁部が前記雌ネジのリードと同じリードで段差部（第２段差部）を介して螺旋状に一周し、平面視円形のリング状をなし、かつその第２段差部が前記雄ネジの終端部に形成されていることを特徴とする。雌ネジを雄ネジに螺合していくと、雌ネジ側の第２段差部が雄ネジ側の第１段差部に当接し、これによりネジの締り深さが規定される。
なお、本願明細書（特許請求の範囲を含む）において、雌ネジが形成されたブロー成形体と雄ネジが形成されたブロー成形体の折り込まれた壁部及び段差部に、それぞれ第１，第２という序数詞を付与したのは、雌ネジが形成されたブロー成形体の折り込まれた壁部及び段差部と、雄ネジが形成されたブロー成形体の折り込まれた壁部及び段差部を、単に区別するために過ぎない。
【０００７】
【発明の実施の形態】
以下、図１〜図６を参照して、本発明に係るブロー成形体について具体的に説明する。この例は、容器と蓋をブロー成形により同時に成形するとともに、容器の口部に雄ネジ、蓋側に雌ネジを形成するものである。このブロー成形体（容器、蓋）について、ブロー成形の工程順に説明する。
【０００８】
（１）図１及び図５に示すように、容器１１と蓋１２を１つのパリソンから同時にブロー成形する。
容器１１側は、その口部において円筒状の周壁１３がほぼ垂直に内側に所定距離折り込まれ（折り込まれた壁部（折り込まれた第２壁部）を１４で示す）、その内周端に連なる円筒状部に雄ネジ１５が形成されている。折り込まれた第２壁部１４はその縦方向の段差部（第２段差部）１４Ａを介して螺旋状に一周し、平面視円形のリング状をなしている。第２段差部１４Ａは雄ネジ１５の終端部に形成されている。雄ネジ１５が形成された円筒状部の上は再びほぼ垂直に内側に所定距離折り込まれ、その上に円筒状部１６を介して蓋１２が一体的に連なっている。
蓋１２側は、その下端部において円筒状の周壁１７がほぼ垂直に内側に所定距離折り込まれ、その折り込まれた壁部（折り込まれた第１壁部）１８が縦方向の段差部（第１段差部）１８Ａを介して螺旋状に一周し、平面視円形のリング状をなしている。
【０００９】
（２）図２に示すように、円筒状部１６を水平に切り離す（切り離し部位を図５にｒで示
す）。これにより雄ネジ１５が形成された容器１１が完成する。さらに、図２（ｂ）に仮想線ｓで示すように（図５にもｓの位置を示している）、折り込まれた第１壁部１８を円形に切抜き、内周側を切除する。この切抜き箇所は、円筒状の周壁１７の外周と同心円をなす。切除されずに残った壁部１８ａが雌ネジ１９の山となる（図４参照）。
（３）続いて図３にハッチングで示す箇所を切除する。この箇所は、第１段差部１８Ａのうち雌ネジ１９の谷に相当する箇所である。この箇所は、残った第１段差部１８Ａのうち、１周した螺旋状の壁部１８ａの隙間に当たる部分ということもできる。
（４）これにより、図４（ａ）に示す蓋１２が完成する。この蓋１２において、雌ネジ１９は、１周のみの壁部１８ａがネジの山であり、そのリードはＬである。なお、雄ネジ１５のリードも同じくＬに設定されている。
（５）容器１１を蓋１２で閉鎖するとき、雌ネジ１９は雄ネジ１５と螺合し、図４（ｃ）に示すように、一杯に締めたとき第１段差部１８Ａが第２段差部１４Ａに当接して停止する。折り込まれた第２壁部１４のリードがＬに設定され、かつ折り込まれた第２壁部１４が雄ネジ１５の山の螺旋の延長上に位置していれば、図４（ｃ）に示すように折り込まれた第２壁部１４と壁部１８ａが当接する。断面図を図６に示す。
【００１０】
上記蓋１２において、雌ネジ１９の山は壁部１８ａからなり、これはプラスチックの肉が一重であるため、仮に壁部１８ａの肉厚が変動しても、その影響は従来の１／２に過ぎず、従って、図４（ｂ）に示す山の幅ａ及び谷の幅ｂの寸法精度が向上する。山の高さｃは折り込まれた第１壁部１８の切除位置（図２の仮想線ｓ）で決まり、高い寸法精度を出すことが可能である。従って、容器１１の雄ネジ１５に程良く螺合する雌ネジ１９を安定的に形成することができる。
また、雌ネジ１９の外側に溝状のネジ形状が出ないので、外観が優れる。
さらに、雌ネジ１９を一杯に締めたとき、第１段差部１８Ａが第２段差部１４Ａに当接するので、ネジの締り深さが一定となり、蓋１２を取り付けた容器１１の高さが安定する。蓋１２を締めた多数の容器１１を同時に取り扱うようなとき、その高さが揃っていれば、全体としての外観が優れる。また、第２壁部１４のリードがＬに設定され、かつ折り込まれた第２壁部１４が雄ネジ１５の山の螺旋の延長上に位置していれば、図４（ｂ）のように容器１１と蓋１２がぴったり重なり、さらに優れた外観となる。
【００１１】
なお、上記の例では、容器１１の側に雄ネジ１５を形成し、蓋１２の側に雌ネジ１９を形成したが、これは逆であってもよい。また、容器１１と蓋１２を一体的にブロー成形し、その後分離したが、始めから別体にて成形することもできる。そのほか、上記の例では、１条ネジとしたが、２条ネジ、３条ネジなどの多条ネジにすることもできる。
【００１２】
【発明の効果】
本発明によれば、ブロー成形体に形成された雌ネジの寸法精度が高く、ネジが固すぎて入らなかったり、ガタが大きく空回りするというトラブルが防止できる。また、ネジ形状が表面に現れない外観のよい雌ネジを形成することができる。さらに、この雌ネジが形成されたブロー成形体と本発明に係る雄ネジが形成されたブロー成形体を組み合わせることにより、ネジの締り深さが安定し、ブロー成形体の高さを一定にすることができる。
【図面の簡単な説明】
【図１】  本発明に係るブロー成形体（容器側と蓋側を一体成形したもの）の要部斜視図である。
【図２】  そのブロー成形体を円筒状部で切り離したときの容器側（ａ）及び蓋側（ｂ）の斜視図である。
【図３】  折り込まれた第１壁部の内周側を切除した蓋の斜視図である。
【図４】  完成した蓋の斜視図（ａ）、その要部拡大図（ｂ）及び容器に蓋を取り付けた状態の斜視図（ｃ）である。
【図５】  一体成形したブロー成形体の要部断面図である。
【図６】  容器に蓋を取り付けた状態の要部断面図である。
【図７】  従来の雌ネジについて説明する断面図である。
【符号の説明】
１１  ブロー成形体（容器）
１２  ブロー成形体（蓋）
１４  折り込まれた第２壁部
１４Ａ  第２段差部
１５  雄ネジ
１８  折り込まれた第１壁部
１８ａ  切除されずに残った壁部
１８Ａ  第１段差部
１９  雌ネジ
【図１】
0004194318.tif 000002
【図２】
0004194318.tif 000003
【図３】
0004194318.tif 000004
【図４】
0004194318.tif 000005
【図５】
0004194318.tif 000006
【図６】
0004194318.tif 000007
【図７】
0004194318.tif 000008